(57)【要約】【課題】複数のモール部材により構成される化粧モールをドア本体に取付けるドアにおいて、化粧モールの一体感が得られると共に、外観の面で優れたものを提供する。【解決手段】複数のモール部材１８，１９の各側面部１８ｅ，１９ａどうしが当接された状態でドア本体１の表面に取付けられて構成される。互いに隣接するモール部材１８，１９の側面部１８ｅ，１９ａのうち、一方のモール部材１８の側面部１８ｅの外側が、他方のモール部材１９の側面部１９ａから離れる方向に曲成される。その曲成された部分１８ｆにより、隣接するモール部材１８，１９の側面部１８ｅ，１９ａ間における、ドア本体１と反対側である外面に、凹部５３が形成されている。【選択図】図６
2018031214.tif 000002
【特許請求の範囲】
【請求項１】
複数のモール部材の側面部どうしが当接された状態でドア本体の表面に取付けられて構成されるドアにおいて、
互いに隣接するモール部材の側面部のうち、一方のモール部材の側面部における、ドア本体の反対側である外側が、他方のモール部材の側面部から離れる方向に曲成され、その曲成された部分により、隣接するモール部材の側面部間における外側に、凹部が形成されていることを特徴とするドア。
【請求項２】
請求項１に記載のドアにおいて、
隣接するモール部材の外面間は、前記凹部を跨いで連続する仮想平面または仮想曲面上に並んで形成されていることを特徴とするドア。
【請求項３】
請求項１または２に記載のドアにおいて、
前記モール部材は、そのドア本体側である内側に、ドア本体に固定された係止受け具を挟んでその係止受け具に係止爪を弾性的に係止させてモール部材をドア本体に固定する対をなす係止片を有し、
互いに隣接するモール部材の少なくとも一方のモール部材の側面部における、ドア本体側である内側に、相手側モール部材から離れる方向に曲成された曲成部を有し、
前記曲成部より内側に、前記対をなす係止片のうちの一方の係止片であって、相手側モール部材の反対側に突出させて形成された係止爪を有する係止片が形成されていることを特徴とするドア。
【発明の詳細な説明】
【技術分野】
【０００１】
本発明は、ドアに係わり、特にドアの表面に取付けられる化粧モールの構造に関する。
【背景技術】
【０００２】
玄関ドア等のドアには、ドア本体の表面に化粧モールを取付けることにより、厚さの増加や、重厚感、高級感等の意匠性の向上を図ったものがある。このような化粧モールをドア本体に取付けたドアとして、特許文献１に記載のものがある。この特許文献１に記載された化粧モールは、複数のモール部材からなり、これら複数のモール部材を横並びに突き合わせてドア本体の室外側の表面に固定することにより取付けられている。
【０００３】
この従来の化粧モールにおいては、隣接するモール部材の突き合わせ部の構成例として、図９（Ａ）に示すように、単に両モール部材７０，７１の側面部を当接させたものがある。また、他の構成例として、図９（Ｂ）に示すように、両モール部材７０，７１の側面部の室外側にそれぞれ凹部７０ａ，７１ａを設け、この凹部７０ａ，７１ａを合わせたものがある。
【先行技術文献】
【特許文献】
【０００４】
【特許文献１】特開２００２−２９５１３８号公報
【発明の概要】
【発明が解決しようとする課題】
【０００５】
しかしながら、図９に示した従来の化粧モールにおいては、下記のような問題点がある。すなわち、図９（Ａ）に示すように、単にモール部材７０，７１の側面部を当接させるものにおいて、モール部材７０，７１の製造上の誤差やドア本体への取付け誤差により、図９（Ｃ）に示すように、両モール部材７０，７１間に段差Ｓを生じることがある。また、モール部材７０，７１の製造上の誤差やドア本体への取付け誤差により、図９（Ｄ）に示すように、モール部材７０，７１間に隙間Ｇを生じることがある。このような段差Ｓや隙間Ｇの存在、あるいは存在と不存在の混在は、外観の低下を招く。
【０００６】
図９（Ｂ）に示すように、隣接するモール部材７０，７１にそれぞれ凹部７０ａ，７１ａを設けたものにおいても、突き合わせ部が目視できるため、図９（Ｃ）に示した段差Ｓや図９（Ｄ）に示した隙間Ｇが存在するとこれらが目視できる。このため、図９（Ａ）に示したものと同様の問題点がある。
【０００７】
一方、段差Ｓや隙間Ｇを目立たなくするため、モール部材７０，７１間の間隔を大きくすることも従来より行なわれているが、モール部材７０，７１間の間隔を大きくすると、全体として一体感のある化粧モールを実現することができない。
【０００８】
本発明は、上記問題点に鑑み、複数のモール部材により構成される化粧モールをドア本体に取付けるドアにおいて、化粧モールの一体感が得られると共に、外観の面で優れたものを提供することを目的とする。
【課題を解決するための手段】
【０００９】
本発明のドアは、
複数のモール部材の隣接する側面部どうしが当接された状態でドア本体の表面に取付けられて構成されるドアにおいて、
互いに隣接するモール部材の側面部のうち、一方のモール部材の側面部における、ドア本体の反対側である外側が、他方のモール部材の側面部から離れる方向に曲成され、その曲成された部分により、隣接するモール部材の側面部間における外側に、凹部が形成されていることを特徴とする。
【００１０】
また、本発明のドアは、前記ドアにおいて、
隣接するモール部材の外面間は、前記凹部を跨いで連続する仮想平面または仮想曲面上に並んで形成されていることを特徴とする。
【００１１】
また、本発明のドアは、前記ドアにおいて、
前記モール部材は、そのドア本体側である内側に、前記モール部材を前記ドア本体に固定する対をなす係止片を有し、前記ドア本体に固定された係止受け具が前記対をなす係止片に挟まれてその係止片に備えた係止爪が前記係止受け具に弾性的に係止されて前記モール部材が前記ドア本体に固定される構造を有し、
互いに隣接するモール部材の少なくとも一方のモール部材の側面部における、前記ドア本体側である内側に、相手側モール部材から離れる方向に曲成された曲成部を有し、
前記曲成部より内側に、前記対をなす係止片のうちの一方の係止片であって、相手側モール部材の反対側に突出させて形成された係止爪を有する係止片が形成されていることを特徴とする。
【発明の効果】
【００１２】
本発明においては、隣接して側面部どうしが当接するモール部材のうち、一方のモール部材の側面の外側に他方のモール部材から離れる側に曲成された曲成部を形成して、両モール部材間の外側に凹部を形成したので、製造上の誤差や取付け誤差により、モール部材間に隙間が生じていても、ドアの外側からその隙間が目視しにくいため、目立たず、外観を損なうことがない。また、モール部材間に段差が生じていたとしても、モール部材間に形成された凹部により、段差が目立たなくなる。このため、全体として外観に優れた一体感のある化粧モールを有するドアが提供できる。
【００１３】
なお本発明において、曲成部とは、押出形材等の成形において、平面どうしが角度をなして結合されるエッジ部で不可避的に発生するＲ部等は含まない。
【００１４】
本発明は、互いに突き合わされるモール部材の外面間が不連続である場合にも適用可能であるが、モール部材の外面間が仮想曲面や仮想平面に一致させることによって、より一体感があって、外観の優れた化粧モールが提供できる。
【００１５】
また、本発明において、ドア本体に固定された係止受け具を、モール部材に形成した対をなす係止片で挟み、係止片の係止爪を係止受け具に弾性的に係止させる構造をとることにより、モール部材をドア本体に取付ける場合、互いに突き合わされるモール部材の側面部から互いに離れる方向に曲成された曲成部を介して対をなす係止片の一方を形成することにより、係止片が弾性的に変形しやすくなり、取付けが容易となる。また、隣接するモール部材の側面部間に隙間が生じにくくなり、外観向上に寄与する。
【図面の簡単な説明】
【００１６】
【図１】本発明の一実施の形態のドア本体を室内側から見た図である。
【図２】図１のドア本体を室外側から見た図である。
【図３】図１の一部省略Ａ−Ａ拡大断面図である。
【図４】図１のＢ−Ｂ拡大断面図である。
【図５】図４の一部省略拡大断面図である。
【図６】（Ａ）は図４の一部拡大断面図、（Ｂ）はモール部材間で形成される凹部の寸法説明図である。
【図７】本発明の他の実施の形態のドア本体を示す横断面図である。
【図８】図７の一部拡大断面図である。
【図９】（Ａ），（Ｂ）はそれぞれ従来の化粧モールの突き合わせ部を示す図、（Ｃ），（Ｄ）は従来の化粧モールの問題点を説明する図である。
【発明を実施するための形態】
【００１７】
図１は本発明の一実施の形態のドア本体１を室内側から見た図、図２は室外側から見た図である。また、図３は図１の一部省略Ａ−Ａ拡大断面図、図４は図１のＢ−Ｂ拡大断面図、図５は図４の一部省略拡大断面図、図６（Ａ）は図４の一部拡大断面図である。
【００１８】
ドア本体１は図３〜図５に示すように、吊元側端部材２と、戸先側端部材３と、上下の端部材４，５とで囲まれた枠と、発泡材からなる断熱パネル６と、室外側表面材７と室内側表面材８とにより構成される。すなわち、端部材２〜５および断熱パネル６を室外側表面材７と室内側表面材８とで覆い、端部材２〜５および断熱パネル６に室外側表面材７と室内側表面材８とを固着して一体化したものである。なお、吊元側端部材２内には、図５に示すように、このドア本体１を不図示のドア枠に蝶番を介して取付けるための裏板９が取付けられ、戸先側端部材３側にはカバー材１０が取付けられる。吊元側端部材２と上下の端部材４，５には断熱材２ａ，４ａ，５ａが収容されて断熱性の向上が図られている。
【００１９】
１２はドア本体１に設けられた採光用の窓、２７はそのガラスパネルであり、この窓１２は、ドア本体１に設けた開口部１３に後述の構造で取付けられる。
【００２０】
図２、図４において、１５はドア本体１の室外側に取付けられる化粧モールであり、本実施の形態においては、この化粧モール１５は、縦長の４枚のモール部材１６〜１９からなる。２０，２１はそれぞれ窓１２のガラスパネル２７の室外側面および上下端面を受ける巾木であり、ドア本体１の窓１２より上部、下部の室外側の面をカバーするカバー材としての役目も有する。これらのモール部材１６〜１９および巾木２０，２１はアルミニウム合金等の金属製押出形材または樹脂製の押出形材からなる。図６（Ａ）に示すように、モール部材１６〜１９には木目調等の化粧シート２２が貼り付けられる。
【００２１】
図４、図６（Ａ）において、２３はモール部材１６〜１９をドア本体１に取付けるためにドア本体１に固定する筒状受け具である。この筒状受け具２３は、室外側表面材７に設けた角穴および断熱パネル６に挿入し、室外側表面材７に鍔部を固着して取付けられる。２４はこの筒状受け具２３に嵌合固定する脚部を有する係止受け具である。これらの筒状受け具２３および係止受け具２４は、モール部材１６〜１９の取付けのため、それぞれドア本体１の上下方向に複数個ずつ並べ、これらの複数個並べたものを横並びに複数列設ける。
【００２２】
モール部材１６〜１９は、図６（Ａ）に示すように、そのドア本体１への取付け側、すなわち内側に形成した一対の係止片２５，２６で係止受け具２４を挟み、係止爪２５ａ，２６ａを係止受け具２４に弾性的に係止させることにより、ドア本体１の室外側表面材７に固定される。
【００２３】
図５に示すように、モール部材１７，１８は、その一部が窓１２の枠部を兼ねている。すなわち、モール部材１７，１８にはそれぞれ窓のガラスパネル２７を取付けるための取付け部１７ａ，１８ａが形成されている。各取付け部１７ａ，１８ａは、それぞれ、窓のガラスパネル２７（本例では断熱性向上のため、このガラスパネルとして複層パネルを用いた例を示す。）の室外側の面を当てるパネル受け部１７ｂ，１８ｂを有する。また、各取付け部１７ａ，１８ａには、それぞれ、パネルの左右の端面を受けるパネル受け部１７ｃ，１８ｃを有する。
【００２４】
図３に示すように、上下の巾木２０，２１にもそれぞれガラスパネル２７の取付け部２０ａ，２１ａを有し、各取付け部２０ａ，２１ａにはそれぞれガラスパネル２７の室外側の面を受けるパネル受け部２０ｂ，２１ｂと、ガラスパネル２７の上下の端面をそれぞれ受けるパネル受け部２０ｃ，２１ｃを有する。
【００２５】
モール部材１７，１８のパネル受け部１７ｂ，１７ｃ，１８ｂ，１８ｃは、ドア本体１に設けられた開口部１３への挿入を可能とするため、室内側に突出した上下部分が切り欠かれており、切り欠かかれて残った部分がドア本体１に設けられた開口部１３の室外側に挿入される。
【００２６】
図３に示すように、上下の巾木２０，２１のパネル受け部２０ｃ，２１ｃにはタッピングホール２０ｅ，２１ｅが形成されている。図２、図５に示すように、巾木２０，２１の室外側両端部２０ｄ，２１ｄは、左右のモール部材１７，１８の取付け部１７ａ，１８ａにより覆われている。モール部材１７，１８と巾木２０，２１との結合は、モール部材１７，１８のパネル受け部１７ｃ，１８ｃに設けた不図示の孔にタッピングねじ２８，２９を挿通し、これらのタッピングねじ２８，２９を図３に示したタッピングホール２０ｅ，２１ｅに螺入し締結することにより行なう。
【００２７】
このように、上下の巾木２０，２１をモール部材１７，１８と一体化した状態でドア本体１にモール部材１７，１８を図６（Ａ）に示した固定手段によって固定することにより、上下の巾木２０，２１がモール部材１７，１８と共にドア本体１に固定される。
【００２８】
このようにしてモール部材１７，１８を巾木２０，２１と共にドア本体１の室外側表面材７に固定すると共に、モール部材１６，１９もドア本体１の室外側表面材７に固定した状態で、モール部材１６〜１９側を下にしてセットする。すなわち、モール部材１７，１８および巾木２０，２１のパネル受け部１７ｃ，１８ｃ，２０ｃ，２１ｃで囲まれた枠内にガラスパネル２７を入れ、ガラスパネル２７の室外側の面をパネル受け部１７ｂ，１７ｂ，２０ｂ，２１ｂ上に載せる。
【００２９】
このようにガラスパネル２７をセットする時、モール部材１７，１８および下巾木２１のパネル受け部１７ｃ，１８ｃ，２１ｃとガラスパネル２７の両側部端面および下部端面との間にそれぞれスペーサ３０，３１，３２を介在させると共に、上巾木２０のパネル受け部２０ｃとガラスパネル２７の上端面との間に断熱材３３を介在させてパネル受け部１７ｃ，１８ｃ，２０ｃ，２１ｃ内に装着する。また、断熱性を向上させるため、少なくとも左右のスペーサ３０，３１は複数個ずつ上下に間隔を有して配置し、ガラスパネル２７との左右の端面とパネル受け部１７ｃ，１８ｃとの間でスペーサ３０，３１が介在していない部分には不図示の断熱材を配置する。
【００３０】
このようにドア本体１の開口部１３内にガラスパネル２７を配置した状態としておき、図５に示すように、室内側から樹脂製押出形材でなる左右の額縁３５，３６をモール部材１７，１８のパネル受け部１７ｃ，１８ｃの室内側の面に当てて結合ねじ４０，４１により結合する。また、図３に示すように、樹脂製押出形材でなる上下の額縁４３，４４を巾木２０，２１のパネル受け部２０ｃ，２１ｃの室内側の面に当てて結合ねじ４５，４６により結合する。４８，４９および５０，５１はそれぞれ額縁３５，３６，４３，４４に被せる押出形材でなる化粧用のカバー材である。
【００３１】
次にモール部材１６〜１９の室外側の面構造について説明する。本実施の形態の化粧モール１５は、図４に示すように、モール部材１６と１７は互いに相手側に近づくに伴って室外側への突出量が大となるような曲面状をなして隣接配置される。モール部材１８と１９についても同様である。
【００３２】
本実施の形態においては、モール部材１６と１７の集合体は、モール部材１８と１９の集合体と対称形をなしているので、図６（Ａ）においてモール部材１８と１９により代表して隣接部の構造を説明する。図示のように、隣接するモール部材１８，１９の側面部１８ｅ，１９ａのうち、一方のモール部材１８の側面部１８ｅには、その外側、すなわちドア本体１の反対側に、他方のモール部材１９の側面部１９ａから離れる方向に曲成された曲成部１８ｆを設ける。他方のモール部材１９は、モール部材１８，１９の側面部１８ｅ，１９ａどうしの当接部４２の最も室外側部分４２ａから直線状に室外側に延設する。その曲成部１８ｆと、隣接するモール部材１９の側面部１９ａの延設部１９ａ１との間に凹部５３が形成される。この例においては、この曲成部１８ｆが、隣接する側面部１９ａに対して鋭角θをなすように傾斜した傾斜面で形成されているものを示す。５４はモール部材１８，１９の外面が凹部５３を跨いで連続する仮想曲面である。図４に示すように、モール部材１６，１７間にも同様の凹部５３が形成されている。
【００３３】
このように構成すれば、製造上の誤差や取付け誤差により、仮にモール部材１８，１９間に隙間が生じたとしても、側面部１８ｅと１９ａとの当接部４２の最も室外側部分４２ａが、ドアの外側から目視しにくいため、隙間が目立たず、外観を損なうことがない。また、本実施の形態のように、モール部材１８，１９の外面が設計上の仮想曲面５４から一方のモール部材の外面がずれるような段差を生じたとしても、モール部材１８，１９間に形成された凹部５３により、その段差が目立たなくなる。このため、全体として外観に優れた一体感のある化粧モールを有するドアが提供できる。モール部材１８，１９の外面が仮想平面を形成する場合にも同様の効果を奏することができる。
【００３４】
本発明の構造は、モール部材１８，１９の外面間が不連続であるものに適用してもよい。モール部材１８，１９の外面間が不連続であるものとは、例えばモール部材１８の側面部１８ｅに隣接するモール部材の側面部１９ａの室外側の面が、ドア本体１の室外側の表面と平行をなす平面をなすとか、仮想曲面５４上にないような傾斜面となる場合である。しかしながら、本実施の形態のように、モール部材１８，１９の外面が仮想曲面５４や仮想平面に一致させることによって、より一体感があって、外観の優れた化粧モールが提供できる。
【００３５】
また、本実施の形態においては、隣接するモール部材１８，１９の側面部１８ｅ，１９ａの近傍に、ドア本体１に固定された係止受け具２４に係止させる対をなす係止片２５，２５を設けている。そして、モール部材１８，１９の側面部１８ｅ，１９ａには、その各内側に、相手側モール部材から離れる方向に曲成された曲成部１８ｇ，１９ｂを有し、この曲成部１８ｇ，１９ｂより内側に、対をなす係止片２５，２６のうちの一方の係止片２５であって、相手側モール部材の反対側に突出させて形成された係止爪２５ａを有する係止片２５が形成されている。
【００３６】
このため、モール部材１８，１９のドア本体１への取付けの際に、側面部１８ｅ，１９ａどうしが当接するといえども、側面部１８ｅ，１９ａ側の係止片２５が矢印Ｒに示すように弾性的に変形しやすくなり、取付けが容易となる。また、モール部材１８，１９をドア本体１に取付けた状態において、側面部１８ｅ，１９ａ側の係止片２５が係止受け具２４に矢印Ｒ方向に押圧されることにより、モール部材１８，１９に対し、側面部１８ｅ，１９ａどうしを近接させる力が生じ、側面部１８ｅ，１９ａ間に隙間が生じにくくなり、外観向上に寄与する。
【００３７】
なお、係止片２５を形成するための曲成部１８ｇ，１９ｂはいずれか一方のみ設けても前記係止片２５の弾性変形の容易化の効果が得られる。
【００３８】
図７は本発明の他の実施の形態を示すドア本体の横断面図である。本実施の形態においては、窓１２は吊元１ａ側に寄った位置に設けられており、化粧モール６０は、窓１２よりも吊元側に２枚のモール部材６１，６２が取付けられ、窓１２よりも戸先１ｂ側に３枚のモール部材６３，６４，６５が取付けられている。
【００３９】
図８は図７に示したモール部材６１，６２の隣接部を、他のモール部材間の隣接部を代表し、拡大して示す図である。図８に示すように、隣接するモール部材６１，６２のうち、一方のモール部材６１の側面部６１ａの外側に形成する曲成部６１ｂは、図６（Ａ）に示したように側面部に対して傾斜した形状ではなく、ほぼＬ字形に曲成されたものであり、隣接するモール部材６２の側面部６２ａとの間でほぼＵ字形の凹部６６を形成するものである。６８はモール部材６１，６２の側面部６１ａ，６２ａどうしの当接部、６８ａは当接部６８の最も室外側部分、６２ａ１はモール部材６２の側面部６２ａを当接部６８の最も室外側部分６８ａから室外側に直線状に延設した部分である。
【００４０】
この例においては、曲成部６１ｂの底部６１ｂ１が隣接するモール部材６２の側面部６２ａに対して鈍角（θ＞９０度）をなす角度で突き合わされるように形成されている。このように、曲成部６１ｂの底部６１ｂ１をモール部材６２の側面部６２ａに対する角度θを鈍角としている理由は、凹部６６を溝として強調したいためである。しかし、この角度θは鈍角でなくてもよい。
【００４１】
図８の実施の形態においても、製造上の誤差や取付け誤差により、仮にモール部材６１，６２間に隙間が生じたとしても、当接部６８の最も室外側部分６８ａがドアの外側から目視しにくいため、目立たず、外観を損なうことがない。また、本実施の形態のように、モール部材６１，６２の外面が仮想曲面６７から一方のモール部材の外面がずれるような段差を生じたとしても、モール部材間に形成された凹部６６により、その段差が目立たなくなる。このため、全体として外観に優れた一体感のある化粧モールを有するドアが提供できる。
【００４２】
なお、上記実施の形態においては、室外側に最も突出した部分の近傍に凹部５３，６６を形成した例を示したが、この凹部５３，６６が山の頂部にあってもよい。すなわち、例えば本来、モール部材１９または６２の側面部１９ａ，６２ａの延出部１９ａ１，６２ａ１の最も室外側部分がドア本体１より最も離れた部分（頂部）となるような構造において、モール部材１８または６１の曲成部１８ｆ，６１ｂとモール部材１９，６２の頂部との間で凹部５３，６６が形成されるようにしてもよい。また、凹部５３，６６は室外側表面材７と平行をなすように形成されたモール部材の突き合わせ部に形成してもよい。また、モール部材１８，６１に曲成部１８ｆ，６１ｂを設ける代わりに、モール部材１９，６２に曲成部を設けてもよい。
【００４３】
以上本発明を実施の形態により説明したが、本発明を実施する場合、本発明の要旨を逸脱しない範囲において、構成部材やその組み合わせについて、種々の変更、付加が可能である。
【符号の説明】
【００４４】
１  ドア本体
７  室外側表面材
８  室内側表面材
１２  採光用の窓
１５  化粧モール
１６〜１９  モール部材
１８ｅ，１９ａ  側面部
１８ｆ  曲成部
１８ｇ，１９ｂ  曲成部
２５，２６  係止片
２５ａ，２６ａ  係止爪
５３  凹部
５４  仮想曲面
６０  化粧モール
６１〜６５  モール部材
６１ａ，６２ａ  側面部
６１ｂ  曲成部
６６  凹部
６７  仮想曲面
【図１】
2018031214.tif 000003
【図２】
2018031214.tif 000004
【図３】
2018031214.tif 000005
【図４】
2018031214.tif 000006
【図５】
2018031214.tif 000007
【図６】
2018031214.tif 000008
【図７】
2018031214.tif 000009
【図８】
2018031214.tif 000010
【図９】
2018031214.tif 000011